(57)【要約】【課題】本発明は、スペース効率よく、かつ、空気の流れをなるべく妨げないように、電装品ユニットを室外機に設置できるようにすること。【解決手段】熱交換器２２と、熱交換器２２を通過する気流を生成するファン２４と、ファン２４の外周囲を囲むように設けられたベルマウス２６と、ファン２４の回転軸部２５ｂ方向におけるベルマウス２６の厚み寸法と略同じ又はそれよりも小さな厚み寸法に形成され、回転軸部２５ｂ方向においてベルマウス２６からはみ出ない態様で、ベルマウス２６の周囲に配設された電装品ユニット３０とを備えている。【選択図】図１
2009074752.tif 000002
【特許請求の範囲】
【請求項１】
熱交換器（１４）と、
回転軸（２５ｂ）周りに羽根（２５ａ）を回転させて、前記熱交換器を通過する気流を生成するファン（２４）と、
前記ファンの外周囲を囲むように設けられたベルマウス（２６，３２６）と、
前記回転軸方向における前記ベルマウスの厚み寸法（Ａ２）と略同じ又はそれよりも小さな厚み寸法（Ａ１）に形成され、前記回転軸方向において前記ベルマウスからはみ出ない態様で、前記ベルマウスの周囲に配設された電装品ユニット（３０，１３０，２３０，３３０，４３０）と、
を備えた空気調和機用室外機（１０，３１０，４１０）。
【請求項２】
請求項１記載の空気調和機用室外機であって、
前記熱交換器と前記ファンと前記ベルマウスとを収容する熱交換器収容部（１４）を有し、
前記ファン（２４）及び前記ベルマウス（２６，３２６）は、前記熱交換器収容部内でその一側方空間をその他側方空間よりも大きくするように、片寄った位置に配設され、
前記電装品ユニット（３０，１３０，２３０，３３０，４３０）は、前記ベルマウスの周囲のうち前記一側方空間に配設された、空気調和機用室外機。
【発明の詳細な説明】
【技術分野】
【０００１】
この発明は、空気調和機の室外機に電装ユニットを設ける技術に関する。
【背景技術】
【０００２】
一般的な空気調和機用の室外機は、熱交換器室と機械室とを備えている。熱交換器室内には、熱交換器とファン等が収容配置されており、機械室内には圧縮機及び各種弁及びこれらを接続する配管等が収容配置されている。かかる室外機には、ファンや圧縮機とを駆動制御するための回路等を内蔵した電装品ユニットが組込まれる。この電装品ユニットの配設形態としては、機械室内に配設する形態と、熱交換器室内に配設する形態とがある。
【０００３】
電装品ユニットを熱交換器室内に配設した形態としては、例えば特許文献１及び２に記載のものがある。
【０００４】
【特許文献１】特開平５−１３３５６４号公報
【特許文献２】特開２００４−２１１９３１号公報
【発明の開示】
【発明が解決しようとする課題】
【０００５】
しかしながら、機械室内に電装品ユニットを設ける構成では、電装品ユニットが配管スペース等を圧迫してしまうことになり、スペース効率が悪いという問題がある。
【０００６】
また、熱交換器室内に電装ユニットを設ける構成では、空気の流れを妨げないような工夫が必要である。例えば、特許文献１では、電装品ユニットが熱交換器の風通路を部分的に塞いでしまっている。また、特許文献２では、電装品ユニットが空気の円滑な流れを乱さないように整流板を設けている。
【０００７】
そこで、本発明は、スペース効率よく、かつ、空気の流れをなるべく妨げないように、電装品ユニットを室外機に設置できるようにすることを目的とする。
【課題を解決するための手段】
【０００８】
上記課題を解決するため、第１の態様に係る空気調和機用室外機は、熱交換器（１４）と、回転軸（２５ｂ）周りに羽根（２５ａ）を回転させて、前記熱交換器を通過する気流を生成するファン（２４）と、前記ファンの外周囲を囲むように設けられたベルマウス（２６，３２６）と、前記回転軸方向における前記ベルマウスの厚み寸法（Ａ２）と略同じ又はそれよりも小さな厚み寸法（Ａ１）に形成され、前記回転軸方向において前記ベルマウスからはみ出ない態様で、前記ベルマウスの周囲に配設された電装品ユニット（３０，１３０，２３０，３３０，４３０）と、を備えたものである。
【０００９】
第２の態様に係る空気調和機用室外機は、第１の態様に係る空気調和機用室外機であって、前記熱交換器と前記ファンと前記ベルマウスとを収容する熱交換器収容部（１４）を有し、前記ファン（２４）及び前記ベルマウス（２６，３２６）は、前記熱交換器収容部内でその一側方空間をその他側方空間よりも大きくするように、片寄った位置に配設され、前記電装品ユニット（３０，１３０，２３０，３３０，４３０）は、前記ベルマウスの周囲のうち前記一側方空間に配設されたものである。
【発明の効果】
【００１０】
この第１の態様に係る空気調和機用室外機によると、ベルマウスの周囲に電装品ユニットを配設するため、スペース効率に優れる。また、電装品ユニットは、前記回転軸方向における前記ベルマウスの厚み寸法と略同じ又はそれよりも小さな厚み寸法に形成され、前記回転軸方向において前記ベルマウスからはみ出ない態様で、前記ベルマウスの周囲に配設されるため、空気の流れをなるべく妨げないようにすることができる。
【００１１】
また、第２の態様に係る空気調和機用室外機によると、前記ファン及び前記ベルマウスは、前記熱交換器収容部内で片寄った位置に配設されており、電装品ユニットは、前記ベルマウスの周囲のうち比較的大きい一側方空間に配設されるため、よりスペース効率に優れる。
【発明を実施するための最良の形態】
【００１２】
以下、実施形態に係る空気調和機用室外機について説明する。図１は空気調和機用室外機を正面からみた態様を示す説明図であり、図２は同室外機を上方から見た態様を示す説明図である。
【００１３】
この空気調和機用室外機１０は、空気調和システムにおける室内機に対して所定の冷媒配管を介して相互接続されるものであり、熱交換器２２と、ファン２４と、ベルマウス２６と、電装品ユニット３０とを備えている。これらの熱交換器２２、ファン２４、ベルマウス２６及び電装品ユニット３０は、筐体１２内に収容されている。
【００１４】
筐体１２は、打抜き屈曲加工された金属板で又はこのような金属板と成型樹脂板との組合わせ等により構成されており、その全体形状は略筐状形状を有している。
【００１５】
また、筐体１２は、仕切壁１３によって２つの空間（ここでは幅方向に２つの空間）に仕切られている。そのうちの一方の空間（図１及び図２では左方の空間）は、熱交換器収容部としての熱交換器室１４に構成されており、この熱交換器室１４内に、熱交換器２２、ファン２４、ベルマウス２６及び電装品ユニット３０が収容されている。なお、筐体１２のうち熱交換器２２に対向する部分には、図示省略の通風孔が形成されており、ファン２４の送風機能によって、外気が熱交換器室１４内に導入された後、熱交換器２２を通って外部に排出されるようになっている。
【００１６】
筐体１２内における他方の空間（図１及び図２では右方の空間）は、機械室１６に構成されている。この機械室１６内には、冷媒を圧縮する圧縮機２８等、冷媒の圧縮膨張を行う機械類が収容されている。
【００１７】
熱交換器室１４内に収容された構成要素についてより詳細に説明する。
【００１８】
熱交換器２２は、外気との間で熱交換を行って内部を流れる冷媒を冷却又は加熱するように構成されている。ここでは、熱交換器２２は、略方形状の板状部分の一側部に側板状部が略直角姿勢で延設された、平面視略Ｌ字状の部材に形成されており、熱交換器室１４の一主面及び一側方主面に沿って配設されている。
【００１９】
ファン２４は、複数の羽根２５ａを有しており、モータ２７の駆動によってこれらの羽根２５ａを所定の回転軸部２５ｂ（回転軸部２５ｂの中心軸が回転軸）周りに回転させることによって、上記熱交換器２２を通過する気流を生成するようになっている。
【００２０】
ベルマウス２６は、ファン２４の外周囲を囲むことができる程度の内径を有する略円管状に形成されており、熱交換器２２から離れた位置で、ファン２４を囲むように設けられている。ベルマウス２６と熱交換器２２とが離れているのは、ベルマウス２６によって整流される空気が熱交換器２２全体を通ることができるようにするためである。つまり、ベルマウス２６と熱交換器２２との間には、ベルマウス２６によって整流される空気が熱交換器２２の略全体を通ることができるようにする程度の間隔が設けられている。そして、このベルマウス２６によって、ファン２４によって生成された気流が円滑に流れるようになっている。
【００２１】
電装品ユニット３０は、電装品ケース３２と、電装品ケース３２内に収容された実装基板３４とを備えている。
【００２２】
電装品ケース３２は、ファン２４の回転軸部２５ｂ方向に沿って見ると、ベルマウス２６の外周面の一部に沿った曲面部分３２ａを有する略筺状に形成されている。そして、当該曲面部分３２ａをベルマウス２６の外周面に密着状に配設した状態で、当該電装品ケース３２がベルマウス２６周りに配設されている。
【００２３】
また、ファン２４の回転軸部２５ｂ方向における電装品ケース３２の厚み寸法Ａ１は、ファン２４の回転軸部２５ｂ方向におけるベルマウス２６の厚み寸法Ａ２よりも小さい。そして、上記のように電装品ケース３２をベルマウス２６周りに配設した状態で、ファン２４の回転軸部２５ｂ方向において、当該電装品ケース３２がベルマウス２６からはみ出ないようになっている。これにより、ベルマウス２６の両側開口において、電装品ケース３２がファン２４によって生成された気流を妨げないようになっている。なお、ファン２４の回転軸部２５ｂ方向における電装品ケース３２の厚み寸法Ａ１は、ファン２４の回転軸部２５ｂ方向におけるベルマウス２６の厚み寸法Ａ２と略同じであってもよい。
【００２４】
なお、ベルマウス２６の幅方向では、電装品ケース３２は当該ベルマウス２６からはみ出ていてもよい。この部分には、ファン２４によって生成された気流はほとんど生じないからである。
【００２５】
このような電装品ケース３２は、打抜き屈曲加工された金属板で又はこのような金属板と成型樹脂板との組合わせ等により構成されており、内部の実装基板３４に対して外部からのミストや埃等の影響を排除できる程度に密閉状に形成されている。
【００２６】
実装基板３４は、所定の配線パターンを形成した基板３５に、各種実装部品３６がはんだ付け等で実装固定された構成とされており、この実装基板３４に、電源電圧を所望の交流電圧に変換しこれを圧縮機２８に供給するインバータ回路や、本室外機１０の動作を制御する制御回路等が組込まれている。
【００２７】
また、上記ファン２４及びベルマウス２６は、熱交換器２２、ファン２４及びベルマウス２６を収容する熱交換器収容部である熱交換器室１４内で、その一側方空間をその他側方空間よりも大きくするように片寄った位置に配設されている。そして、電装品ユニット３０は、ベルマウス２６の周囲のうち当該大きい一側方空間に配設されている。
【００２８】
より具体的には、ファン２４及びベルマウス２６の中心軸でもある回転軸部２５ｂは、熱交換器室１４の上下方向中央の位置よりも下方に位置しており、したがって、ベルマウス２６の一側方空間である上方空間は、他側方空間である下方空間よりも大きくなっている。そして、電装品ユニット３０は、曲面部分３２ａをベルマウス２６の外周囲上面に密着状にした状態で、ベルマウス２６の上方空間に配設されている。
【００２９】
なお、上記ファン２４及びベルマウス２６を、熱交換器室１４内で左方向又は右方向に片寄った位置に配設し、これによって大きくなった右方空間又は左方空間に電装品ユニット３０を配設してもよい。また、上記ファン２４及びベルマウス２６を、熱交換器室１４内で上方向に片寄った位置に配設し、これによって大きくなった下方空間に電装品ユニット３０を配設してもよい。つまり、熱交換器室１４における一側方及び他側方には、上下の関係で一側方及び他側方の場合と、左右の関係で一側方及び他側方となる場合とを含む。もっとも、電装品ユニット３０を室外機１０の下方に配設すると、雨滴等により被水し易くまた湿度の影響も受けやすいので、上記のように電装品ユニット３０を室外機１０の上方に配設した形態の方が好ましい。
【００３０】
以上のように構成された空気調和機用室外機１０によると、ベルマウス２６の周囲に電装品ユニット３０を配設するため、円管状のベルマウス２６と略直方体状の収容空間である熱交換器室１４との間の空間を有効利用して、電装品ユニット３０を配設することができ、スペース効率に優れる。また、電装品ユニット３０は、回転軸部２５ｂ方向におけるベルマウス２６の厚み寸法Ａ２と略同じまたはそれよりも小さな厚み寸法Ａ１に形成されており、回転軸部２５ｂ方向においてベルマウス２６からはみ出ない態様でベルマウス２６周囲に配設される。このため、別途整流板等を設けなくとも、ベルマウス２６の両側開口において、電装品ユニット３０が空気の流れをなるべく妨げないようにすることができ、ファン２４により形成された気流に対する抵抗を低減することができる。しかも、ベルマウス２６周囲に設けられた電装品ユニット３０は、熱交換器２２から離間していることになるので、熱交換器２２が電装品ユニット３０によって閉塞されることなく、熱交換器２２の実質的な熱交換面積を拡大することができる。
【００３１】
また、ファン２４及びベルマウス２６は、熱交換器室１４内で片寄った位置に配設されており、電装品ユニット３０はベルマウス２６周囲のうち比較的大きい一側方空間に配設されるため、電装品ユニット３０収容用の空間を確保して、スペース効率よく電装品ユニット３０を収容することができる。
【００３２】
また、電装品ユニット３０をベルマウス２６周囲に配設しているので、従来機械室内に配設されていた電装品ユニットの配設スペースを冷媒配管の設置スペースとして利用することが可能となり、その配管の取り回しが容易となる。
【００３３】
｛変形例｝
以下、上記実施形態に係る各種変形例について説明する。なお、下記の説明において、上記実施形態と共通する構成要素については同一符号を付してその説明を省略する。
【００３４】
図３に示す変形例に係る電装品ユニット１３０では、電装品ケース３２内に実装基板１３４が収容されている。実装基板１３４は、基板１３５と、当該基板に実装された実装部品１３６ａ，１３６ｂ，１３６ｃ，１３６ｄとを備えている。基板１３５は、電装品ケース３２内において、曲面部分３２ａと対向する主面に沿って固定されている。また、この基板１３５のうち曲面部分３２ａと対向する面に、実装部品１３６ａ，１３６ｂ，１３６ｃ，１３６ｄが実装固定されている。さらに、各実装部品１３６ａ，１３６ｂ，１３６ｃ，１３６ｄのうち相対的に実装高さ寸法が低いもの（例えば実装部品１３６ｂ）が基板１３５の中央側の位置に配設されると共に、各実装部品１３６ａ，１３６ｂ，１３６ｃ，１３６ｄのうち相対的に実装高さ寸法が高いもの（例えば実装部品１３６ａ，１３６ｃ，１３６ｄ）が基板１３５の端部側の位置に配設されている。つまり、上記曲面部分３２ａ形状からして、基板１３５の略中央部で曲面部分３２ａに対する距離が最も小さく、また、基板１３５の端部に向うに従って曲面部分３２ａに対する距離は大きくなる。そこで、基板１３５の各部において、曲面部分３２ａに対する距離に見合った高さ寸法を有する実装部品１３６ａ，１３６ｂ，１３６ｃ，１３６ｄを実装固定することで、これらの実装部品１３６ａ，１３６ｂ，１３６ｃ，１３６ｄをスペース効率よく配設することができる。本室外機１０における電装品ユニット１３０に実装される部品のうち、実装高さが高い部品としては、例えば、電解コンデンサ、ＡＣ入力フィルタ部品等が挙げられ、実装高さが低い部品としては、例えば、ＣＰＵ、その他表面実装部品が挙げられる。パワーデバイスは、ヒートシンクと一体化されることがあるので、ヒートシンクの大きさやそれとの一体化形態等によって、いずれにも分類され得る。
【００３５】
図４に示す変形例に係る電装品ユニット２３０では、電装品ケース３２内に、２つの実装基板２３４が収容されている。２つの実装基板２３４は、ベルマウス２６の外周面形状に沿って逆Ｖ字状の姿勢で、固定されている。これにより、電装品ケース３２の曲面部分３２ａに沿って比較的長尺の実装基板２３４を収容することができる。
【００３６】
図５に示す変形例に係る室外機３１０では、電装品ユニット３３０の一部である兼用曲面部分３３３ａが、ベルマウス３２６の一部として兼用されている。つまり、兼用曲面部分３３３ａは、電装品ユニット３３０の一部であり、ベルマウス３２６の一部でもある。かかる態様も、電装品ユニット３３０が、ベルマウス３２６の周囲に配設された態様に含まれる。
【００３７】
この変形例によると、兼用曲面部分３３３ａは、電装品ユニット３３０の一部及びベルマウス３２６の一部として兼用されるため、材料削減等によるコストダウンを図ることができる。
【００３８】
図６に示す変形例に係る室外機４１０では、電装品ユニット４３０の実装部品４３６ａにヒートシンク４３７が取付固定されており、このヒートシンク４３７が電装品ユニット４３０の外部に突出すると共に、ベルマウス２６を貫通してベルマウス２６内に突出している。これにより、ヒートシンク４３７がベルマウス２６内を通る気流に直接的に曝され、ヒートシンク４３７を介して実装部品４３６ａを効率よく冷却することができる。
【００３９】
なお、圧縮機２８等を流れる冷媒で実装部品４３６ａを冷却すれば、上記のようなヒートシンク４３７が無くても、当該実装部品４３６ａを効率よく冷却できる。
【００４０】
なお、上記実施形態等において、筐体１２を仕切る上記仕切壁１３は必ずしも必要ではなく、上記熱交換器２２等を収容した熱交換器収容空間（熱交換器収容部）と圧縮機２８等を収容した機械収容空間とが連続していてもよい。また、仕切壁１３を設けた場合であっても、当該仕切壁１３で密閉構造を採用しなくともよい。
【００４１】
また、筐体１２の前板部で電装品ケース３２の一部を閉塞する等、筐体１２の一部を電装品ケース３２の一部としてもよい。
【図面の簡単な説明】
【００４２】
【図１】実施形態に係る空気調和機用室外機を正面からみた態様を示す説明図である。
【図２】同上の室外機を上方から見た態様を示す説明図である。
【図３】電装品ユニットの変形例を示す説明図である。
【図４】電装品ユニットの他の変形例を示す説明図である。
【図５】電装品ユニット及びベルマウスの変形例を示す説明図である。
【図６】ヒートシンクを設けた変形例を示す説明図である。
【符号の説明】
【００４３】
１０，３１０，４１０  空気調和機用室外機
１４  熱交換器室
１６  機械室
２２  熱交換器
２４  ファン
２５ａ  羽根
２５ｂ  回転軸部
２６，３２６  ベルマウス
２８  圧縮機
３０，１３０，２３０，３３０，４３０  電装品ユニット
３２  電装品ケース
３４，１３４，２３４  実装基板
Ａ１  厚み寸法
Ａ２  厚み寸法
【図１】
2009074752.tif 000003
【図２】
2009074752.tif 000004
【図３】
2009074752.tif 000005
【図４】
2009074752.tif 000006
【図５】
2009074752.tif 000007
【図６】
2009074752.tif 000008